(57)【特許請求の範囲】
【請求項１】
水平同期信号と垂直同期信号とに基づいて送出されたアナログ映像信号及び、この映像信号に同期したクロック信号によって画像を表示する画像表示部と、
上記映像信号を所定電圧で増幅して上記画像表示部に出力するアンプと、
このアンプを増幅する基準となる上記所定電圧及び、上記画像表示部への上記映像信号の表示基準となる基準電圧を発生するコントラスト設定手段と、
上記アンプで増幅された映像信号と上記基準電圧とを比較し、上記基準電圧が低い時にハイ信号／高い時にロー信号を出力するコンパレータと、
前記映像信号の画像１フレーム中のこのコンパレータからの信号に、ハイ信号になる期間が有るときはタイミング信号をハイにして出力し、ハイ信号になる期間が無いときはタイミング信号をローにして出力する保持回路と、
予め上記所定電圧を上記アンプで増幅した映像信号が上記基準電圧より高く／低くなるように設定し、前記コントラスト設定手段を制御して徐々に上記所定電圧を変更して、上記保持回路からのタイミング信号がハイからローに変わるまで／ローからハイに変わるまで、上記ハイ信号／ロー信号の監視と上記所定電圧の制御を繰り返す制御手段と
で構成されたことを特徴とする表示装置。
【発明の詳細な説明】
【０００１】
【発明の属する技術分野】
この発明は、液晶表示装置等の表示装置に関し、特に、表示装置のコントラスト調整機能に関する。
【０００２】
【従来の技術】
従来の液晶表示装置等の表示装置においては、コントラストの調整は、当該表示装置に入力する映像信号の波形を観測しながら、手動で映像信号の振幅調整を行うものであった。
【０００３】
【発明が解決しようとする課題】
上記のように、手動でコントラスト調整を行うのは、煩雑であり、また調整作業を行う作業者の個人差も生じるという問題がある。
本発明は、上記従来の欠点を解消して、手作業によるコントラスト調整を不要にし、簡単にかつ個人差のないコントラスト調整を行うことができる表示装置を提供することを目的とする。
【０００４】
【課題を解決するための手段】
上記課題を解決する本発明の表示装置は、水平同期信号と垂直同期信号とに基づいて送出されたアナログ映像信号及び、この映像信号に同期したクロック信号によって画像を表示する画像表示部と、上記映像信号を所定電圧で増幅して上記画像表示部に出力するアンプと、このアンプを増幅する基準となる上記所定電圧及び、上記画像表示部への上記映像信号の表示基準となる基準電圧を発生するコントラスト設定手段と、上記アンプで増幅された映像信号と上記基準電圧とを比較し、上記基準電圧が低い時にハイ信号／高い時にロー信号を出力するコンパレータと、前記映像信号の画像１フレーム中のこのコンパレータからの信号に、ハイ信号になる期間が有るときはタイミング信号をハイにして出力し、ハイ信号になる期間が無いときはタイミング信号をローにして出力する保持回路と、予め上記所定電圧を上記アンプで増幅した映像信号が上記基準電圧より高く／低くなるように設定し、前記コントラスト設定手段を制御して徐々に上記所定電圧を変更して、上記保持回路からのタイミング信号がハイからローに変わるまで／ローからハイに変わるまで、上記ハイ信号／ロー信号の監視と上記所定電圧の制御を繰り返す制御手段とで構成されたことを特徴とする。
【０００５】
【発明の実施の形態】
以下、本発明の実施の形態を図１の一実施例を参照して説明する。
図１は本発明の一実施例の表示装置１０の回路構成を示すブロック図である。この表示装置１０は、アナログの映像信号ＶＩＤ１、および水平同期信号ＨＳＹＮＣ・垂直同期信号ＶＳＹＮＣを外部からの入力として画像を表示するもので、画像表示部１と、アンプ２と、クロック発生回路３と、保持回路４と、コンパレータ５と、Ｄ／Ａコンバータ６と、ＣＰＵ７とから構成されている。
【０００６】
前記画像表示部１は図示例では液晶表示素子によるもので、映像信号ＶＩＤ２と、この映像信号ＶＩＤ２に同期したクロック信号ＤＯＴＣＬＫと、水平同期信号ＨＳＹＮＣおよび垂直同期信号ＶＳＹＮＣとを入力して画像を表示する。
前記アンプ２は、外部から入力するアナログの映像信号ＶＩＤ１を、所定電圧Ｖ１に応じた増幅率で増幅し、映像信号ＶＩＤ２として画像表示部１に出力する回路である。
前記クロック発生回路３は、水平同期信号ＨＳＹＮＣを入力とし映像信号ＶＩＤ１に同期したクロック信号ＤＯＴＣＬＫを発生する回路である。
前記Ｄ／Ａコンバータ６は、ＣＰＵ７により制御されて、前記アンプ２の増幅率を調整するためにアンプ２に入力する前記所定電圧Ｖ１、および液晶式の画像表示部１の入力仕様電圧を示すための基準電圧Ｖ２を発生する回路である。
前記コンパレータ３は、前記アンプ２で増幅された映像信号ＶＩＤ２の電圧と前記基準電圧Ｖ２とを比較し、映像信号ＶＩＤ２の電圧が基準電圧Ｖ２より高い時はハイ、低い時はローの信号を保持回路４に出力する回路である。
前記保持回路４は、コンパレータ５の出力した信号ＶＯＮ、水平同期信号ＨＳＹＮＣ、垂直同期信号ＶＳＹＮＣ、クロック信号ＤＯＴＣＬＫを入力とし、画像１フレーム中に信号ＶＯＮがハイになると信号ＶＳＴをハイとして出力し、信号ＶＯＮがハイにならないと信号ＶＳＴをローとして出力する回路である。
そして、ＣＰＵ７は、前記保持回路４からの信号ＶＳＴを入力として、シリアル信号を介してクロック発生回路３とＤ／Ａコンバータ６とを制御するプログラムを格納している。すなわち、ＣＰＵ７はＤ／Ａコンバータ６を制御して、第１に予め基準電圧Ｖ２を画像表示部１の入力仕様電圧と等しい電圧に設定する。第２に、当初、前記所定電圧Ｖ１を、アンプ２で増幅された映像信号ＶＩＤ２の電圧が基準電圧Ｖ２より高くなるように設定しておき、保持回路４の出力信号がハイからローになるまで、コンパレータ３の出力電圧の監視と所定電圧Ｖ１の制御とを繰り返す。
【０００７】
前記ＣＰＵ７に格納した前記制御を行わせるプログラムは、Ｄ／Ａコンバータ６とともに、コントラスト設定手段を構成し、また、このプログラムは制御手段をも構成する。
【０００８】
次に上記表示装置１０におけるコントラスト自動調整動作を説明する。コントラスト調整時には、この表示装置１０への映像信号ＶＩＤ１として白レベル信号を入力する。
ＣＰＵ７はＤ／Ａコンバータ６を制御して、基準電圧Ｖ２を液晶表示装置１の白レベル信号の入力仕様電圧と等しい電圧に設定し、かつ、最初、所定電圧Ｖ１を、アンプ２で増幅された映像信号ＶＩＤ２の電圧（白レベル電圧）が基準電圧Ｖ２よりも高くなるように設定する。
コンパレータ５は映像信号ＶＩＤ２の白レベル電圧と基準電圧Ｖ２とを比較する。最初は、前記の通り映像信号ＶＩＤ２の電圧が基準電圧Ｖ２よりも高く設定されているので、コンパレータ５は比較の結果として信号ＶＯＮをハイとして保持回路４に出力し、保持回路４は信号ＶＳＴをハイとしてＣＰＵ７に出力する。
次に、ＣＰＵ７はＤ／Ａコンバータ６を制御して徐々に所定電圧Ｖ１を下げてアンプ２の増幅率を下げ、保持回路４からの信号ＶＳＴがローになるまで、信号ＶＳＴの監視と所定電圧Ｖ１の制御を繰り返す。信号ＶＳＴがハイからローに変わった時、映像信号ＶＩＤ２の白レベル電圧が画像表示部１の白レベルの入力仕様電圧と等しくなっているので、この時点で調整動作を終了する。こうして、画像表示部１のコントラスト調整、すなわち、映像信号ＶＩＤ２の白レベル電圧を画像表示部１の白レベルの入力仕様電圧と等しくする調整が自動的に行われる。
また、本発明の表示装置は、メーカーにおいてコントラストを自動調整できるばかりでなく、ユーザが全白や白字等の白レベル信号による映像を表示すれば、この白レベル信号によってコントラストが自動調整される。
【０００９】
なお、本発明は液晶表示装置に限らず、プラズマディスプレイ装置その他、映像信号とこの映像信号に同期したクロック信号と水平および垂直同期信号とを入力して画像を表示する画像表示部を備えた表示装置に適用できる。
【００１０】
【発明の効果】
本発明によれば、コントラスト調整が自動的に行われるので、従来波形を観測しながら手動で行っていた映像信号の振幅の調整作業が不要となり、簡単な個人差のないコントラスト調整が可能となるという効果を奏する。
また、本発明によれば、ユーザが単に全白や白字等の白レベル信号による映像を画面に表示するだけで、コントラストを自動調整できるという効果がある。
【図面の簡単な説明】
【図１】本発明の表示装置のコントラスト自動調整回路の一実施例を示すブロック図である。
【符号の説明】
１  画像表示部
２  アンプ
３  クロック発生回路
４  保持回路
５  コンパレータ
６  Ｄ／Ａコンバータ（コントラスト設定手段）
７  ＣＰＵ（コントラスト設定手段、制御手段）
１０  表示装置
Ｖ１  所定電圧
Ｖ２  基準電圧
ＶＩＤ１、ＶＩＤ２    映像信号
ＨＳＹＮＣ  水平同期信号
ＶＳＹＮＣ  垂直同期信号
ＤＯＴＣＬＫ  クロック信号
ＶＯＮ  コンパレータの出力信号（ハイ／ロー）
ＶＳＴ  保持回路の出力信号（ハイ／ロー）
【図１】
0004527207.tif 000002